(57)【要約】【課題】端子配列を容易に変更することが可能な半導体素子および半導体装置を提供する。【解決手段】リモコン受光装置１は、フォトダイオード３と、外部端子２２（２２１〜２２３）とワイヤＬＧ１〜ＬＧ３を介して導通する接続端子が複数設けられた制御ＩＣ４とを備えている。制御ＩＣ４は、接続端子として、信号入力端子ＳＩＮの他に、信号出力端子ＳＯＵＴ１〜３と電源端子ＶＣＣ１〜３とデジタルグランド端子ＧＤ１〜３とが設けられている。この３種類の接続端子のうち一種類ずつ３つの接続端子を一組の端子群として、３組設けているので、容易に配線の変更が可能である。【選択図】図２
2010165972.tif 000002
【特許請求の範囲】
【請求項１】
外部端子と金属細線を介して導通する接続端子が複数設けられた半導体素子において、
前記複数の接続端子のうち２以上の端子を一組の端子群として、前記端子群が複数組設けられていることを特徴とする半導体素子。
【請求項２】
前記端子群に含まれる接続端子は、前記外部端子の配列方向に沿って列状に配置されている請求項１記載の半導体素子。
【請求項３】
前記一組の端子群は、前記外部端子と接続する複数の接続端子全部の種類を備えている請求項１または２記載の半導体素子。
【請求項４】
外部と接続する外部端子と、
前記外部端子と金属細線を介して導通する接続端子が複数設けられた半導体素子とを備え、
前記複数の接続端子のうち２以上の端子を一組の端子群として、前記端子群が複数組設けられていることを特徴とする半導体装置。
【請求項５】
前記端子群に含まれる接続端子は、前記外部端子の配列方向に沿って列状に配置されている請求項４記載の半導体装置。
【請求項６】
前記一組の端子群は、前記外部端子と接続する複数の接続端子全部の種類を備えている請求項４または５記載の半導体装置。
【発明の詳細な説明】
【技術分野】
【０００１】
本発明は、外部端子と金属細線を介して導通する接続端子が複数設けられた半導体素子および半導体装置に関する。
【背景技術】
【０００２】
リードフレームの外部端子により外部から電源を供給したり、信号線の入出力をしたりする半導体装置としてリモコン受光装置が知られている。例えば、特許文献１に記載のリモコン受光ユニットは、ＩＣ、受光素子（ＰＤ）、チップ抵抗 、チップコンデンサ等の各素子をダイボンドし、ワイヤボンドした３本のリードフレームを樹脂モールドし、この樹脂モールド部に外部ノイズをカットするためのシールドケース（金属ケース）を被せてシールド効果を持たせた構造である。この３本のリードフレームは、信号用としてのＶｏｕｔ用リードと、グランド用リードと、電源用リードとを備えている。
【０００３】
このような３本の外部端子を備えた従来の半導体装置を、リモコン受光装置を例に、図１０に基づいて説明する。図１０（Ａ）に示すリモコン受光装置１００は、フォトダイオード３と制御ＩＣ４ｘとがリードフレーム２ｘの搭載部２１にダイボンドされている。搭載部２１は、フォトダイオード３のアノード端子ＴＡは、ワイヤＬＧ１により接続され、制御ＩＣ４ｘのグランド端子ＧＤはワイヤＬＧ２で接続されているためグランド電位である。従って、図１０（Ａ）のリモコン受光装置では、外部端子２２のうち中央の外部端子２２２がグランド端子となる。
【特許文献１】特開２００４−３０３９６０号公報
【発明の開示】
【発明が解決しようとする課題】
【０００４】
図１０に示すリモコン受光装置１００では、フォトダイオード３や制御ＩＣ４ｘがダイボンドされた中央の外部端子２２２がグランド端子に割り付けられている。しかし、このリモコン受光装置１００が実装される基板の条件によっては、外部端子２２の信号の割り付けの配列を変更したい場合がある。つまり、図１０（Ａ）に示すように中央の外部端子２２２をグランド端子とせずに、図１０（Ｂ）に示すように右端の外部端子２２３をグランド端子としたい場合には、搭載部２１が繋がった外部端子２２を右端の外部端子２２３に割り振ったリードフレーム２ｙとする必要がある。
【０００５】
従って、端子配列を変更するためには、それぞれ端子配列を変更したリードフレームを作製する必要があり、製造コストが増大する。
【０００６】
そこで本発明は、端子配列を容易に変更することが可能な半導体素子および半導体装置を提供することを目的とする。
【課題を解決するための手段】
【０００７】
本発明は、半導体素子に、外部端子と金属細線を介して導通する接続端子が複数設けられ、前記複数の接続端子のうち２以上の端子を一組の端子群として、前記端子群が複数組設けられていることを特徴とする。
【発明の効果】
【０００８】
本発明は、端子群ごとに外部端子の割り付けに対応させてワイヤを配線することで、外部端子の割り付けが変更となっても容易に対応することができるので、製造コストの増大を抑制することができる。
【発明を実施するための最良の形態】
【０００９】
本願の第１の発明は、外部端子と金属細線を介して導通される接続端子が複数設けられた半導体素子において、前記複数の接続端子のうち２以上の端子を一組の端子群として、前記端子群が複数組設けられていることを特徴としたものである。
【００１０】
本発明の半導体素子には、外部端子と金属細線を介して直接的に、または間接的に導通する複数の接続端子のうち２以上の端子を一組の端子群として複数組設けられているので、端子群ごとに外部端子の割り付けに対応させてワイヤを配線することで、外部端子の割り付けが変更となっても容易に対応することができる。
【００１１】
本願の第２の発明は、第１の発明において、前記端子群に含まれる接続端子は、前記外部端子の配列方向に沿って列状に配置されていることを特徴としたものである。
【００１２】
第２の発明においては、端子群に含まれる接続端子が外部端子の配列方向に沿って列状に配置されていることで、外部端子に対して最短で配線することができると共に、接続端子に接続するワイヤが他の接続端子の上を通過せずに配線することができる。
【００１３】
本願の第３の発明は、第１または第２の発明においては、一組の端子群は、前記外部端子と接続する複数の接続端子全部の種類を備えていることを特徴としたものである。
【００１４】
第３の発明においては、一組の端子群として外部端子と接続する複数の接続端子全部の種類を設けることで、外部端子全部の割り付け変更が容易となる。
【００１５】
本願の第４の発明は、外部と接続する外部端子と、前記外部端子と金属細線を介して導通する接続端子が複数設けられた半導体素子とを備え、前記複数の接続端子のうち２以上の端子を一組の端子群として、前記端子群が複数組設けられていることを特徴としたものである。
【００１６】
本発明の半導体装置には、外部端子と金属細線を介して直接的に、または間接的に導通する複数の接続端子のうち２以上の端子を一組の端子群として複数組設けられているので、端子群ごとに外部端子の割り付けに対応させてワイヤを配線することで、外部端子の割り付けが変更となっても容易に対応することができる。
【００１７】
本願の第５の発明は、第４の発明において、前記端子群に含まれる接続端子は、前記外部端子の配列方向に沿って列状に配置されていることを特徴としたものである。
【００１８】
第５の発明においては、端子群に含まれる接続端子が外部端子の配列方向に沿って列状に配置されていることで、外部端子に対して最短で配線することができると共に、接続端子に接続するワイヤが他の接続端子の上を通過せずに配線することができる。
【００１９】
本願の第６の発明は、第４または第５の発明においては、一組の端子群は、前記複数の接続端子全部を備えていることを特徴としたものである。
【００２０】
第６の発明においては、一組の端子群として外部端子と接続する複数の接続端子全部の種類を設けることで、外部端子全部の割り付け変更が容易となる。
【００２１】
（実施の形態）
本発明の実施の形態に係る半導体装置を、リモコン受光装置を例に、図面に基づいて説明する。図１は、本発明の実施の形態に係るリモコン受光装置を示す図であり、（Ａ）は正面図、（Ｂ）は（Ａ）における一部切欠正面図、（Ｃ）は右側面図、（Ｄ）は平面図である。図２は、リードフレームの搭載部に搭載されたフォトダイオードと制御ＩＣとを示す部分拡大図である。
【００２２】
図１（Ａ）から同図（Ｄ）に示すように、本発明の実施の形態に係るリモコン受光装置１は、リモコン送信装置からの光信号である赤外光線を受光してデジタル信号を出力する光電変換装置として機能するものである。
【００２３】
このリモコン受光装置１は、リードフレーム２と、フォトダイオード３と、制御ＩＣ４と、パッケージ５とを備えている。
【００２４】
リードフレーム２は、フォトダイオード３と制御ＩＣ４とが搭載された搭載部２１と、パッケージ５の一端から突出するように３本設けられた外部端子２２とを備え、金属薄板で形成されている。図２に示すように、搭載部２１は、フォトダイオード３と制御ＩＣ４とが接着剤にて搭載されていると共に、フォトダイオード３がワイヤＬＧ１により、制御ＩＣ４がＬＧ２により導通接続されている。外部端子２２（２２１〜２２３）は、基端部にワイヤＬＬ１〜ＬＬ３が導通接続されるワイヤボンド部２２ａが形成され、中間部に実装基板のスルーホール電極に挿入するときのストッパーの役目をする拡幅部２２ｂ（図１参照）が形成されている。
【００２５】
フォトダイオード３は、受信した光信号の強度に応じて電流信号を発生する受光素子である。フォトダイオード３には、接続端子として上面にアノード端子ＴＡとカソード端子ＴＫとの２端子が設けられている。アノード端子ＴＡは、グランド電位となる搭載部２１に、ワイヤＬＧ１により導通接続されている。また、カソード端子ＴＫは、電流信号を出力する接続端子であり、制御ＩＣ４とワイヤＬＳにより導通接続されている。
【００２６】
フォトダイオード３は、底面に接続端子が形成されていないため、搭載することで搭載部２１と導通接続している訳ではない。従って、フォトダイオード３を搭載部２１に固着させるための接着剤は導電性を有する必要はない。
【００２７】
制御ＩＣ４は、フォトダイオード３からのアナログ信号である電流信号を入力して、デジタル信号である電圧信号を出力する信号処理を行う素子である。制御ＩＣ４は、接続端子として上面に、電流信号を入力する信号入力端子ＳＩＮが設けられている。信号入力端子ＳＩＮは、フォトダイオード３のカソード端子ＴＫとワイヤＬＳにより導通接続されている。また、制御ＩＣ４の接続端子として上面に、信号出力端子、グランド端子、電源端子の３種類の接続端子を一組の端子群として合計３組（信号出力端子ＳＯＵＴ１〜３，グランド端子ＧＤ１〜３，電源端子ＶＣＣ１〜３）が、外部端子２２（２２１〜２２３）の配列方向に沿って列状に配置されている。この端子群は、信号出力端子ＳＯＵＴ１〜３，グランド端子ＧＤ１〜３，電源端子ＶＣＣ１〜３の順にそれぞれが配列されている。
【００２８】
信号出力端子は、外部端子２２１側の端子群の信号出力端子ＳＯＵＴ１がワイヤＬＬ１により外部端子２２１と接続されている。グランド端子は、中央の端子群のグランド端子ＧＤ２がワイヤＬＧ２により搭載部２１と接続され、搭載部２１がワイヤＬＬ２により外部端子２２２と接続されていることで、グランド端子ＧＤ２と外部端子２２２とが導通している。また、電源端子は、外部端子２２３側の端子群の電源端子ＶＣＣ３がワイヤＬＬ３により外部端子２２３と接続されている。
【００２９】
この制御ＩＣ４では、３組の端子群（信号出力端子ＳＯＵＴ１〜３，グランド端子ＧＤ１〜３，電源端子ＶＣＣ１〜３）の同じ種類の端子が内部でそれぞれ導通しているので、端子群のうちいずれの接続端子を使用してもよい。
【００３０】
制御ＩＣ４は、底面に接続端子が形成されていないため、搭載することで搭載部２１と導通接続している訳ではない。従って、制御ＩＣ４を搭載部２１に固着させるための接着剤は導電性を有していない。
【００３１】
パッケージ５は、赤外線透過性を有する樹脂で成型されている。このパッケージ５は、光信号を集光するレンズ部５ａが、フォトダイオード３の前方に設けられている。
【００３２】
このリモコン受光装置１は、制御ＩＣ４を外来ノイズから保護することを目的として、金属ケース６を付加することも可能である。ここで、金属ケース６について図３に基づいて説明する。図３は、図１に示すリモコン受光装置に金属カバーを設けた状態を示す図であり、（Ａ）は正面図、（Ｂ）は右側面図、（Ｃ）は平面図である。
【００３３】
図３（Ａ）から同図（Ｃ）に示すように金属ケース６は、リモコン受光装置１全体を覆うように下方が開口した箱状に形成されたケース本体６１に、実装基板に固定するために屈曲した挿入部６２と、レンズ部５ａの前方に位置し、光信号の進入を阻害しないように十字状に形成されたレンズカバー部６３と、リモコン受光装置１を両側面から押圧してケース本体６１がずれないようにする押圧部６４とが設けられている。
【００３４】
以上のように構成された本発明の実施の形態に係るリモコン受光装置１のリードフレーム材について、図４に基づいて詳細に説明する。図４は、本発明の実施の形態に係るリードフレーム材を示す図である。
【００３５】
図１に示すリードフレーム２は、図４に示すリードフレーム材１０のフレーム外枠１１からそれぞれ切り離されることで形成される。リードフレーム材１０は、略矩形状に形成されたフレーム外枠１１と、このフレーム外枠１１の上枠部１１ａにサポートリード１２ａを介在させて搭載部２１が接続されている。また、フレーム外枠１１の下枠部１１ｂには、サポートリード１２ｂを介在させてそれぞれ外部端子２２が接続されている。このサポートリード１２ｂは、外部端子２２が延伸して下枠部１１ｂに接続するように形成されている。外部端子２２は、横枠部１１ｃにタイバー１２ｃによっても支持されている。
【００３６】
このように、搭載部２１と外部端子２２とが未接続状態であっても、フレーム外枠１１に搭載部２１と外部端子２２とが、別々のサポートリード１２ａ，１２ｂにより支持されており、リモコン受光装置１の状態では、図１に示すように、パッケージ５により担持されるので、ワイヤＬＬ１〜ＬＬ３やワイヤＬＧ１，ＬＧ２で、外部端子２２１〜２２３とフォトダイオード３および制御ＩＣ４との導通を図ることが可能である。
【００３７】
図１および図２においては、外部端子２２１を信号出力ピン、外部端子２２２をグランドピン、外部端子２２３を電源ピンとしているが、リモコン受光装置１のワイヤ配線工程において、ワイヤＬＬ１〜ＬＬ３の配線を変更することで、外部端子２２の割当てを変更することが可能である。
【００３８】
ここで、図５から図８に基づいてリモコン受光装置１において、外部端子の割り付けの変更を行う方法を説明する。図５から図７は、図１に示すリモコン受信装置において、外部端子の割り付け変更を行った状態を示す図である。図８は、制御ＩＣの接続端子の配置の変形例を示す図である。
【００３９】
例えば、リードフレーム材１０（図４参照）にフォトダイオード３および制御ＩＣ４を搭載部２１に搭載し、フォトダイオード３および制御ＩＣ４間の配線（ワイヤＬＳ）と、フォトダイオード３のアノード端子ＴＡと搭載部２１間の配線（ワイヤＬＧ１）とを完了した状態で、図５に示すように、外部端子２２の配列を、外部端子２２１と信号出力端子ＳＯＵＴ１とをワイヤＬＬ１により接続して信号出力ピンとし、外部端子２２２と電源端子ＶＣＣ２とをワイヤＬＬ２により接続して電源ピンとし、グランド端子ＧＤ３と搭載部２１とをワイヤＬＧ２により接続すると共に、外部端子２２３と搭載部２１とをワイヤＬＬ３により接続してグランドピンとする順に変更することが可能である。
【００４０】
また、図６に示すように、外部端子２２の配列を、グランド端子ＧＤ１と搭載部２１とをワイヤＬＧ２により接続すると共に、外部端子２２１と搭載部２１とをワイヤＬＬ１により接続してグランドピンとし、外部端子２２２と信号出力端子ＳＯＵＴ２とをワイヤＬＬ２により接続して信号出力ピンとし、外部端子２２３と電源端子ＶＣＣ３とをワイヤＬＬ３により接続して電源ピンとする順に変更することも可能である。
【００４１】
このように、リモコン受光装置１は、外部端子２２とワイヤで接続される複数の接続端子である信号出力端子と、グランド端子と、電源端子とを一組として、複数組設けることで、端子群ごとに外部端子２２の割り付けに対応させてワイヤＬＬ１〜ＬＬ３を配線することができるので、外部端子２２の割り付けが変更となっても容易に対応することができる。
【００４２】
従って、端子配列の変更があったとしてもそれぞれの端子配列のリモコン受光装置を準備する必要がないので、コスト増大を抑止することができる。よって、製造コストを抑制することが可能である。
【００４３】
このワイヤＬＬ１〜ＬＬ３については、例えば、図７に示すように配線することも可能である。図７によれば、外部端子２２の配列が、外部端子２２１と信号出力端子ＳＯＵＴ１とをワイヤＬＬ１により接続して信号出力ピンとし、外部端子２２２と電源端子ＶＣＣ３とをワイヤＬＬ２により接続して電源ピンとし、グランド端子ＧＤ２と搭載部２１とをワイヤＬＧ２により接続すると共に、外部端子２２３と搭載部２１とをワイヤＬＬ３により接続してグランドピンとする順となっている。しかし、図７に示されるワイヤの配線方法は、図５に示すワイヤの配線方法と比較して、ワイヤＬＬ２による配線長が長くなっている。
【００４４】
これは、それぞれの端子群に含まれる信号出力端子ＳＯＵＴ１〜３と、グランド端子ＧＤ１〜３と、電源端子ＶＣＣ１〜３とは、外部端子２２の配列方向に沿って列状に配置されているにもかかわらず、外部端子２２の割り付けの順に対応して配線させていないためである。従って、制御ＩＣ４側から外部端子２２へワイヤＬＬ１〜３により接続するときには、図５に示すように配線するのが望ましい。
【００４５】
また、図８に示すように、信号出力端子ＳＯＵＴ１〜３と、グランド端子ＧＤ１〜３と、電源端子ＶＣＣ１〜３とで構成される端子群が、それぞれ三角形の角部に位置するように配置されている制御ＩＣ４ｙでは、信号出力端子ＳＯＵＴ１と外部端子２２１とを接続するワイヤＬＬ１が、グランド端子ＧＤ１上を通過することになるので、場合によってはワイヤボンディングする際にワイヤＬＬ１がグランド端子ＧＤ１に接触するおそれがある。
【００４６】
本実施の形態に係る制御ＩＣ４は、図２に示すように信号出力端子ＳＯＵＴ１〜３と、グランド端子ＧＤ１〜３と、電源端子ＶＣＣ１〜３とは、外部端子２２の配列方向に沿って列状に配置されているので、外部端子２２に対して最短で配線することができると共に、接続端子に接続するワイヤＬＬ１〜ＬＬ３，ＬＧ２が他の接続端子の上を通過せずに配線することができる。
【００４７】
次に、制御ＩＣの変形例を図９に示す。図９は、制御ＩＣの変形例を示す図である。図９に示すようにリードフレーム２ｚは、搭載部２１と外部端子２２のうち中央に位置する外部端子２２２とが一体的に繋がったものである。このようなリードフレーム２ｚの場合には、外部端子２２２をグランド端子として固定的に使用される。
【００４８】
このような場合では、図２に示す制御ＩＣ４と比較して、制御ＩＣ４ｚの接続端子としては、信号出力端子と電源端子とを端子群として２組備えている。詳細には、外部端子２２１側の接続端子の端子群として信号出力端子ＳＯＵＴ１と電源端子ＶＣＣ１が設けられている。そして、外部端子２２３側の接続端子の端子群として信号出力端子ＳＯＵＴ３と電源端子ＶＣＣ３が設けられている。中央に位置する接続端子は、図２に示す制御ＩＣ４から信号出力端子ＳＯＵＴ２と電源端子ＶＣＣ２とを省略し、グランド端子ＧＤ２のみが設けられている。
【００４９】
このように、複数の接続端子のうち２つの端子を一組の端子群として、端子群を２組設けるようにしても、外部端子２２１と外部端子２２３との割り付けの変更が容易となる。
【００５０】
なお、外部端子が４本以上有するリードフレームでも、制御ＩＣの４種類の接続端子を一組の端子群として４組設けることで同様の効果を得ることができる。
【産業上の利用可能性】
【００５１】
本発明は、端子配列を容易に変更することが可能なので、半導体素子がリードフレームの搭載部に搭載されると共に外部端子にワイヤにより接続され、樹脂封止された半導体装置と、このリードフレームを形成するための金属薄板により形成されたリードフレーム材に好適である。
【図面の簡単な説明】
【００５２】
【図１】本発明の実施の形態に係るリモコン受光装置を示す図、（Ａ）は正面図、（Ｂ）は（Ａ）における一部切欠正面図、（Ｃ）は右側面図、（Ｄ）は平面図
【図２】リードフレームの搭載部に搭載されたフォトダイオードと制御ＩＣとを示す拡大図
【図３】図１に示すリモコン受光装置に金属カバーを設けた状態を示す図、（Ａ）は正面図、（Ｂ）は右側面図、（Ｃ）は平面図
【図４】本発明の実施の形態に係るリードフレーム材を示す図
【図５】図１に示すリモコン受信装置において、外部端子の割り付け変更を行った状態を示す図
【図６】図１に示すリモコン受信装置において、外部端子の割り付け変更を行った状態を示す図
【図７】図１に示すリモコン受信装置において、外部端子の割り付け変更を行った状態を示す図
【図８】制御ＩＣの接続端子の配置の変形例を示す図
【図９】制御ＩＣの変形例を示す図
【図１０】従来のリモコン受光装置を示す図
【符号の説明】
【００５３】
１  リモコン受光装置
２，２ｘ，２ｙ，２ｚ  リードフレーム
３  フォトダイオード
４，４ｘ，４ｙ，４ｚ  制御ＩＣ
５  パッケージ
６  金属ケース
１０  リードフレーム材
１１  フレーム外枠
１２ａ，１２ｂ  サポートリード
１２ｃ  タイバー
２１  搭載部
２２  外部端子
２２ａ  ワイヤボンド部
２２ｂ  拡幅部
６１  ケース本体
６２  挿入部
６３  レンズカバー部
６４  押圧部
２２１〜２２３  外部端子
ＴＡ  アノード端子
ＴＫ  カソード端子
ＳＩＮ  信号入力端子
ＧＤ１〜ＧＤ３  グランド端子、
ＳＯＵＴ１〜ＳＯＵＴ３  信号出力端子
ＶＣＣ１〜ＶＣＣ３  電源端子
ＬＧ１〜ＬＧ３，ＬＬ１〜ＬＬ３，ＬＳ  ワイヤ
【図１】
2010165972.tif 000003
【図２】
2010165972.tif 000004
【図３】
2010165972.tif 000005
【図４】
2010165972.tif 000006
【図５】
2010165972.tif 000007
【図６】
2010165972.tif 000008
【図７】
2010165972.tif 000009
【図８】
2010165972.tif 000010
【図９】
2010165972.tif 000011
【図１０】
2010165972.tif 000012